(57)【要約】      （修正有）【課題】装着作業が容易に行え、使用場所あるいは使用状態に応じて水量の減量ができ、体感水圧を維持することにより、各家庭や事業所、店舗厨房等において節水効果が望める節水器具を提供する。【解決手段】水道蛇口本体と蛇口パイプとの間に、蛇口毎の使用状況に応じた機種選択した節水器具を装着することにより流水の抑制を行う。流量圧力が変動しても定流量弁が変動に反応して柔軟に変形するので、常に設定流量が確保され、ムダな流出を防ぎ、長期に亘り節水効果を持続する。【選択図】図１
0003141651.tif 000002
【実用新案登録請求の範囲】
【請求項１】
水道蛇口本体の吐水口と蛇口パイプとの間に節水器具本体を装着するために形成したことを特徴とする節水器具。
この節水器具は水道蛇口本体の吐水口外形とほぼ等しい、又、蛇口パイプとの接続も蛇口バイプナットと内径は、ほぼ等しく節水器具を容易に装着ができる形成にしたことが特徴とする節水器具である。
【請求項２】
前記、節水器具本体の形成に内蔵される定流量弁は中央と外周面の通水孔口から放射状に貫通形成された水道水を放出するためのそれぞれ３つの通水孔口からなり、流水の抑制を行うとともに流量圧力が変動しても定流量弁が変動に反応して柔軟に変形し、常に設定流量を確保する特徴とする節水器具である。
【請求項３】
前記、節水器具本体の形成に内蔵される定流量弁の通水孔口穴はテーパ面状に形成されているため通水孔への流入が円滑であり、各々ごとに異なる種類を有することを特徴とする請求項２の節水器具。
【請求項４】
前記、節水器具本体の形成に内蔵される定流量弁は通水孔口入出口周縁に凹凸加工が施されており、通水孔口から通過する水が水圧の低下を防ぐように形成されているのが特徴とする節水器具である。
【考案の詳細な説明】
【技術分野】
【０００１】本考案は、水道水の節水を図るために、水道の蛇口パイプの接続部位に継ぎ足装着して、必要以上の流量がカラン等の端末から流出しないようにする定流量節水器具に関するものである。
【背景技術】
【０００２】従来、水栓器具は給水栓を開けると、その開度に応じて吐出量が増大するように構成されている。ところが家庭や店舗厨房におかれる使用水量は一般的に水栓を半分以上開けるほどの水量は必要ではなく、半開以下の状態で充分な場合が殆どある。また、ホテル、病院、企業の事務所、テナント店舗、学校等の高層ビルでは受水槽及び高架水槽の設置状況にもよりますが水栓を同じ開度で使用した場合でも各階、各箇所毎で吐出量が異なるのが現状であり、吐出量の基準は少ない箇所を基準にしているため吐出量の基準以外では同じ開閉でも必要以上の水が吐出されてしまう。従って、不必要に水が使用される場合が多く、節水の点から問題であった。
【考案の開示】
【考案が解決しようとする課題】
【０００３】本考案の目的とするところは、装着作業が容易に行え、使用場所あるいは使用状態に応じて水量の減量ができること、そして体感水圧を維持することができるようにすることにより、各家庭や事業所、店舗厨房等において無意識のうちに節水効果を望めることの出来る節水器具を提供しようとするものである。
【課題を解決するための手段】
【０００４】上記目的を達成するために、本考案の請求項１の装着に要する節水器具本体と請求項２の定流量弁を備え、節水器具本体は水道蛇口本体の吐水口と蛇口パイプとの装着部を有し、定流量弁は節水器具本体に着脱可能に構成され、この定流量弁を通過することにより、流量と水圧を維持することを特徴としている。
【考案を実施するための最良の形態】
【０００５】本考案の実施の形態を図面に基づき説明する。図１は節水器具本体に定流量弁を取り付けた状態の縦断面図、図２は定流量弁の平面図と縦断面図、図３は定流量弁の水道入圧の変化に応じた変化状態、図４は水道水が定流量弁を通過後の効果実測図、図５は定流量ユニットを装着する場所である。【０００６】本考案の節水器具（定流量ユニット）は、取付箇所での所望の水量に調節できるように器具本体と定流量弁とを備え、器具本体に定流量弁が着脱可能に取り付けるようにしてある。【０００７】図１の器具本体は水道蛇口本体の吐水口と蛇口パイプとの間に節水器具本体を継ぎ足装着するために形成したことを特徴とする節水器具。
この節水器具は水道蛇口本体の吐水口外形とほぼ等しい、又、蛇口パイプとの接続も蛇口パイプナットと内径は、ほぼ等しく節水器具を容易に装着ができるように形成したことが特徴とする節水器具である。【０００８】図１の定流量ユニットの設置場所は図５に明記している箇所に継ぎ足装着される。【０００９】図２の定流量弁は前記、節水器具本体に内蔵されるように形成され、通水孔口から放射状に貫通形成された水道水を放出するための複数個の通水孔口からなり、流水の抑制を行うとともに流量圧力が変わらないように構成されている。【００１０】図２の定流量弁は通水孔口５．６において、それぞれ３つの通水孔口から構成されており、通水孔口６から放射状に貫通形成された水道水を放出する流水の抑制を行うように形成されており、取付箇所に応じて通水孔口の穴口径の異なる種類を選定し、取り付けられる。【００１１】図２の定流量弁の流入圧力は、最低１ｋｇ／ｃｍ３で一定の流量を保ちます。圧力が１ｋｇ／ｃｍ３〜８．７５ｋｇ／ｃｍ３の間で変動すると、図３オリフィス（孔）をもったユニットが圧力の変動に自動的に反応し、柔軟に変形します。それに伴ってオリフィスの面積も変化し、常に一定の流量にコントロールすることができ、流圧量感不足を改善できるものである。【００１２】図２の定流量弁を通水孔口を通る吐出量はトイレで使用後に流す水の原理を応用したスパイラル方式ですので使用時の違和感がなく使用しながら節水が図れます。【００１３】図１定流量ユニット装着に際して、図４給水栓を９０°開度しますと設定吐出量が確保され、以降開度を開けても吐出量は変化しないように構成されています。【００１４】図１定流量ユニット装着に際しての流量設定は取付場所に応じて６リットル〜１２リットルを給水・給湯に対応できるよう、異なる種類にて構成されています。【００１５】図１定流量ユニットの対応は下記の通りになります。
適用水温：４．５℃〜８０℃        （最高耐熱温度１３０℃）
適用水圧：１．０５ｋｇ／ｃｍ３〜８．７５ｋｇ／ｃｍ３（最高流入圧力８．７５ｋｇ／ｃｍ３）
【考案の効果】
【００１６】本考案は、上記のように構成されており、この考案は定流量ユニットを装着する際に水道の元栓を閉弁する必要がないために、装着作業が簡便にかつ容易に行うことができるとともに、節水器具本体と定流量弁とを着脱可能としてあるので、定流量弁の種々組み合わせて使用することができ、取付箇所に応じて抑制する水量に適した定流量ユニットを提供し、長期に亘って節水効果を持続させることができる。
【図面の簡単な説明】
【図１】節水器具本体に定流量弁を取り付けた状態の縦断面図（定流量ユニット）
【図２】定流量弁の平面図と縦断面図
【図３】定流量弁の水道入圧に応じた変化状態
【図４】水道水が定流量弁を通過後の効果実測図
【図５】定流量ユニットを装着する場所
【符号の説明】
１．節水器具本体
２．通水孔
３．通水孔口
４．定流量弁
５．通水孔口
６．通水孔口
【図１】
0003141651.tif 000003
【図２】
0003141651.tif 000004
【図３】
0003141651.tif 000005
【図４】
0003141651.tif 000006
【図５】
0003141651.tif 000007
【手続補正書】
【提出日】平成20年2月19日(2008.2.19)
【手続補正１】
【補正対象書類名】実用新案登録請求の範囲
【補正対象項目名】請求項１
【補正方法】変更
【補正の内容】
【請求項１】
水道蛇口本体の吐水口と蛇口パイプとの間に節水器具本体を装着するために形成し、外形は水道蛇口本体の吐水口とほぼ等しい、又、内径も蛇口バイプナットとほぼ等しく、容易に装着ができるように形成したことが特徴の節水器具。
【手続補正２】
【補正対象書類名】実用新案登録請求の範囲
【補正対象項目名】請求項２
【補正方法】変更
【補正の内容】
【請求項２】
節水器具本体の形成に内蔵される定流量弁は中央と外周面の通水孔口から放射状に貫通形成された水道水を放出するためのそれぞれ３つの通水孔口からなり、流水の抑制を行うとともに流量圧力が変動しても定流量弁が変動に反応して柔軟に変形し、常に設定流量を確保することが特徴の節水器具。
【手続補正３】
【補正対象書類名】実用新案登録請求の範囲
【補正対象項目名】請求項３
【補正方法】変更
【補正の内容】
【請求項３】
節水器具本体の形成に内蔵される定流量弁の通水孔口穴はテーパ面状に形成されているため通水孔への流入が円滑であり、各々ごとに異なる種類を有することが特徴の節水器具。
【手続補正４】
【補正対象書類名】実用新案登録請求の範囲
【補正対象項目名】請求項４
【補正方法】変更
【補正の内容】
【請求項４】
節水器具本体の形成に内蔵される定流量弁は通水孔口入出口周縁に凹凸加工が施されており、通水孔口から通過する水が水圧の低下を防ぐように形成されているのが特徴の節水器具。
【手続補正５】
【補正対象書類名】明細書
【補正対象項目名】０００７
【補正方法】変更
【補正の内容】
【０００７】図１の器具本体は水道蛇口本体の吐水口と蛇口パイプとの間に節水器具本体を継ぎ足装着するために形成したことを特徴とする節水器具で外形は水道蛇口本体の吐水口外形とほぼ等しい、又、内径は蛇口パイプナットとほぼ等しく形成され、節水器具を容易に装着ができる。